(57)【特許請求の範囲】
【請求項１】
所定のフォーマットで生成された種々の提供情報を提供する情報提供装置と、当該情報提供装置から所定のネットワークを介して送信される上記提供情報を受信して情報処理を行う情報処理装置とからなる情報授受システムにおいて、
上記情報提供装置は、
所定の提供側プログラムに従って上記フォーマットで設定された一の領域に、上記情報処理装置で表示可能な表示データを記述し、他の領域に、上記情報処理装置が解読可能な形式の地点情報データを記述することにより上記提供情報を生成する提供情報生成手段と、
上記提供情報生成手段によって生成された上記提供情報を上記ネットワークを介して上記情報処理装置へ送信する送信手段とを具え、
上記情報処理装置は、
上記ネットワークを介して送信される上記提供情報を受信する受信手段と、
上記受信手段によって受信した上記提供情報の上記一の領域に記述されている上記表示データに対応した表示内容を表示手段に表示する表示制御手段と、
上記提供情報を所定の補助プログラムに従って解析し、上記他の領域に記述されている上記地点情報データを読み出す解析手段と、
ユーザからの指示に応じて、上記解析手段によって読み出された上記地点情報データを所定のアプリケーションソフトウェアに受け渡し、当該アプリケーションソフトウェアに従った上記情報処理として、上記地点情報データに含まれる緯度経度の地図データに基づく地図の表示処理及び上記地点情報データに含まれるカテゴリコードに基づく所定マークのアイコンの表示処理を行う制御手段と
を具える情報授受システム。
【請求項２】
上記制御手段は、上記地点情報データを上記アイコンに対応させて記憶し、上記アイコンが選択されたとき、上記地点情報に含まれる他の情報を読み出して上記アイコンに対応した登録画面を表示する
請求項１に記載の情報授受システム。
【請求項３】
所定のフォーマットで生成された種々の提供情報を情報提供装置から所定のネットワークを介して送信し、当該送信された上記提供情報を情報処理装置により受信して情報処理を行う情報授受方法において、
上記情報提供装置は、
提供情報生成手段により、所定の提供側プログラムに従って上記フォーマットで設定された一の領域に、上記情報処理装置で表示可能な表示データを記述し、他の領域に、上記情報処理装置が解読可能な形式の地点情報データを記述することにより上記提供情報を生成する提供情報生成ステップと、
送信手段により、上記提供情報生成ステップによって生成された上記提供情報を上記ネットワークを介して上記情報処理装置へ送信する送信ステップとを有し、
上記情報処理装置は、
受信手段により、上記ネットワークを介して送信される上記提供情報を受信する受信ステップと、
表示制御手段により、上記受信ステップによって受信した上記提供情報の上記一の領域に記述されている上記表示データに対応した表示内容を表示手段に表示する表示制御ステップと、
解析手段により、上記提供情報を所定の補助プログラムに従って解析し、上記他の領域に記述されている上記地点情報データを読み出す解析ステップと、
制御手段により、上記解析ステップによって読み出された上記地点情報データをユーザからの指示に応じて所定のアプリケーションソフトウェアに受け渡し、当該アプリケーションソフトウェアに従った上記情報処理として、上記地点情報データに含まれる緯度経度の地図データに基づく地図の表示処理及び上記地点情報データに含まれるカテゴリコードに基づく所定マークのアイコンの表示処理を行う制御ステップと
を有する情報授受方法。
【請求項４】
所定のフォーマットで生成された種々の提供情報が情報提供装置から所定のネットワークを介して送信され、当該送信された上記提供情報を受信して情報処理を行う情報処理装置において、
上記フォーマットで設定された一の領域に、上記情報処理装置で表示可能な表示データを記述し、他の領域に、上記情報処理装置が解読可能な形式の地点情報データを記述することにより生成された上記提供情報を上記ネットワークを介して受信する受信手段と、
上記受信手段によって受信した上記提供情報の上記一の領域に記述されている上記表示データに対応した表示内容を表示手段に表示する表示制御手段と、
上記提供情報を所定の補助プログラムに従って解析し、上記他の領域に記述されている上記地点情報データを読み出す解析手段と、
ユーザからの指示に応じて、上記解析手段によって読み出された上記地点情報データを所定のアプリケーションソフトウェアに受け渡し、当該アプリケーションソフトウェアに従った上記情報処理として、上記地点情報データに含まれる緯度経度の地図データに基づく地図の表示処理及び上記地点情報データに含まれるカテゴリコードに基づく所定マークのアイコンの表示処理を行う制御手段と
を具える情報処理装置。
【請求項５】
所定のフォーマットで生成された種々の提供情報が情報提供装置から所定のネットワークを介して送信され、当該送信された上記提供情報を情報処理装置が受信して情報処理を行う情報処理方法において、
上記フォーマットで設定された一の領域に、上記情報処理装置で表示可能な表示データを上記情報提供装置が記述し、他の領域に、上記情報処理装置が解読可能な形式の地点情報データを上記情報提供装置が記述することにより生成された上記提供情報を上記情報処理装置の受信手段により上記ネットワークを介して受信する受信ステップと、
上記受信ステップによって受信した上記提供情報の上記一の領域に記述されている上記表示データに対応した表示内容を上記情報処理装置の表示制御手段により表示手段に表示する表示制御ステップと、
上記提供情報を上記情報処理装置の解析手段により所定の補助プログラムに従って解析し、上記他の領域に記述されている上記地点情報データを読み出す解析ステップと、
上記解析ステップによって読み出された上記地点情報データをユーザからの指示に応じて所定のアプリケーションソフトウェアに受け渡し、当該アプリケーションソフトウェアに従った上記情報処理として、上記地点情報データに含まれる緯度経度の地図データに基づく地図の表示処理及び上記地点情報データに含まれるカテゴリコードに基づく所定マークのアイコンの表示処理を行う制御ステップと
を有する情報処理方法。
【請求項６】
所定のフォーマットで生成された種々の提供情報が情報提供装置から所定のネットワークを介して送信され、当該送信された上記提供情報を情報処理装置が受信して情報処理を行うプログラムが記録されたコンピュータ読み取り可能な記録媒体において、
上記フォーマットで設定された一の領域に、上記情報処理装置で表示可能な表示データを上記情報提供装置が記述し、他の領域に、上記情報処理装置が解読可能な形式の地点情報データを上記情報提供装置が記述することにより生成された上記提供情報を上記情報処理装置が上記ネットワークを介して受信する受信ステップと、
上記受信ステップによって受信した上記提供情報の上記一の領域に記述されている上記表示データに対応した表示内容を上記情報処理装置が表示手段に表示する表示制御ステップと、
上記提供情報を上記情報処理装置が所定の補助プログラムに従って解析し、上記他の領域に記述されている上記地点情報データを読み出す解析ステップと、
上記解析ステップによって読み出された上記地点情報データをユーザからの指示に応じて所定のアプリケーションソフトウェアに受け渡し、当該アプリケーションソフトウェアに従った上記情報処理として、上記地点情報データに含まれる緯度経度の地図データに基づく地図の表示処理及び上記地点情報データに含まれるカテゴリコードに基づく所定マークのアイコンの表示処理を行う制御ステップと
を有する記録媒体。
【発明の詳細な説明】
【０００１】
【発明の属する技術分野】
本発明は情報授受システム、情報授受方法、情報提供装置、情報提供方法、情報提供方法提供媒体、情報処理装置、情報処理方法及び情報処理方法提供媒体に関し、例えばインターネット上のＷｅｂページから所望の提供情報を自動的に取り込み、パーソナルコンピュータ上で立ち上げたアプリケーションソフトウェアに受け渡して登録する場合に適用して好適なものである。
【０００２】
【従来の技術】
従来、インターネットを介したコンピュータネットワークにおいては、ネットワーク上に複数のＷＷＷ(World Wide Web)サーバが存在し、当該ＷＷＷサーバが提供するＷｅｂページをクライアントが受け取ることにより、ユーザ所望の提供情報を入手し得るようになされている。
【０００３】
例えば、ＷＷＷサーバが提供するＷｅｂページ上で表示された特定の場所に関する地点情報をクライアントに取り込み、クライアント上で立ち上げた地図ソフトウェアに関連付けて登録及び記憶することが以前から行われている。
【０００４】
この場合ＷＷＷサーバ側では、少なくとも緯度経度、住所及び電話番号等を含む地点情報を予めファイル化してハードディスク等に記憶した後、ＨＴＭＬ(Hyper Text Markup Language)でファイルに対するハイパーリンクを記述し、当該ファイルを保持しておく。
【０００５】
クライアントは、ＷｅｂブラウザによってＨＴＭＬファイルをダウンロードして解析することによりＷｅｂページを表示する。そしてクライアントは、表示したＷｅｂページ上のアンカーがユーザによってクリックされると、ハイパーリンクされた地点情報のファイルをサーバからダウンロードして解析し、予め自身で立ち上げておいた地図ソフトウェアが表示する地図上に地点情報を登録して記憶すると共に、地点情報に関連付けられたアイコンを表示するようになされている。
【０００６】
実際上、マップサーバ（商標）と呼ばれる地図データベース及びその表示プログラムでは、マップサーバスクリプトにおいて例えば
＜a href＝”/rdw1010/31.mps ”＞スクリプト＜/a＞
のような地点情報を含むファイル自体へのハイパーリンクが記述されている。
【０００７】
ここでＨＴＭＬファイル内の「/rdw1010/31.mps 」は、サーバの「 rdw1010」ディレクトリに存在する「 31.mps 」というスクリプトを示している。従ってクライアントは、Ｗｅｂページ上でマークアップされた「スクリプト」部分がクリックされると、「 31.mps 」のスクリプトをダウンロードして、自身で立ち上げておいた地図ソフトウェアに取り込むようになされている。
【０００８】
【発明が解決しようとする課題】
ところでかかる構成のコンピュータネットワークのＷＷＷサーバにおいては、全ての地点情報について予めファイル化してハードディスクに保持しておかなければならないため、サーバ自身の負荷が大きくなるという問題があった。
【０００９】
またクライアントは、Ｗｅｂページ上のアンカーがクリックされると、Ｗｅｂブラウザを介して「ダウンロードを実行する」といったダイアログを一度表示した後に、データ量に応じた通信時間をかけてインターネットからダウンロードするため、地図ソフトウェアが表示する地図上に地点情報を登録するまでにはある程度の処理時間が必要で、リアルタイムに地点情報の登録処理を実行し得ないという問題があった。
【００１０】
本発明は以上の点を考慮してなされたもので、ネットワークを介した提供情報の授受を一段と容易に実行し得る情報授受システム、情報授受方法、情報提供装置、情報提供方法、情報提供方法提供媒体、情報処理装置、情報処理方法及び情報処理方法提供媒体を提案しようとするものである。
【００１１】
【課題を解決するための手段】
かかる課題を解決するため本発明においては、所定のフォーマットで生成された種々の提供情報を提供する情報提供装置と、当該情報提供装置から所定のネットワークを介して送信される提供情報を受信して情報処理を行う情報処理装置とからなる情報授受システムにおいて、情報提供装置は、所定の提供側プログラムに従ってフォーマットで設定された一の領域に、情報処理装置で表示可能な表示データを記述し、他の領域に、情報処理装置が解読可能な形式の地点情報データを記述することにより提供情報を生成する提供情報生成手段と、提供情報生成手段によって生成された提供情報をネットワークを介して情報処理装置へ送信する送信手段とを具え、情報処理装置は、ネットワークを介して送信される提供情報を受信する受信手段と、受信手段によって受信した提供情報の一の領域に記述されている表示データに対応した表示内容を表示手段に表示する表示制御手段と、提供情報を所定の補助プログラムに従って解析し、他の領域に記述されている地点情報データを読み出す解析手段と、ユーザからの指示に応じて、解析手段によって読み出された地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行う制御手段とを設けるようにする。
【００１２】
これにより、情報授受システムの情報処理装置では、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うと共に地点情報をアイコンに対応させて記憶することができるので、アイコンを一目見させさえすれば、地図上の位置を通知し得ると共に、それがどのようなカテゴリの場所であるかをアイコンの所定マークにより直感的に認識させることができる。
【００１３】
また本発明においては、所定のフォーマットで生成された種々の提供情報を情報提供装置から所定のネットワークを介して送信し、当該送信された提供情報を情報処理装置により受信して情報処理を行う情報授受方法において、情報提供装置は、提供情報生成手段により、所定の提供側プログラムに従ってフォーマットで設定された一の領域に、情報処理装置で表示可能な表示データを記述し、他の領域に、情報処理装置が解読可能な形式の地点情報データを記述することにより提供情報を生成する提供情報生成ステップと、送信手段により、提供情報生成ステップによって生成された提供情報をネットワークを介して情報処理装置へ送信する送信ステップとを有し、情報処理装置は、受信手段により、ネットワークを介して送信される提供情報を受信する受信ステップと、表示制御手段により、受信ステップによって受信した提供情報の一の領域に記述されている表示データに対応した表示内容を表示手段に表示する表示制御ステップと、解析手段により、提供情報を所定の補助プログラムに従って解析し、他の領域に記述されている地点情報データを読み出す解析ステップと、制御手段により、解析ステップによって読み出された地点情報データをユーザからの指示に応じて所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行う制御ステップとを有するようにする。
【００１４】
これにより、情報授受方法では、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができる。
【００１５】
さらに本発明においては、所定のフォーマットで生成された種々の提供情報が情報提供装置から所定のネットワークを介して送信され、当該送信された提供情報を受信して情報処理を行う情報処理装置において、フォーマットで設定された一の領域に、情報処理装置で表示可能な表示データを記述し、他の領域に、情報処理装置が解読可能な形式の地点情報データを記述することにより生成された提供情報をネットワークを介して受信する受信手段と、受信手段によって受信した提供情報の一の領域に記述されている表示データに対応した表示内容を表示手段に表示する表示制御手段と、提供情報を所定の補助プログラムに従って解析し、他の領域に記述されている地点情報データを読み出す解析手段と、ユーザからの指示に応じて、解析手段によって読み出された地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行う制御手段とを設けるようにする。
【００１６】
これにより、情報処理装置では、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができる。
【００１７】
さらに本発明においては、所定のフォーマットで生成された種々の提供情報が情報提供装置から所定のネットワークを介して送信され、当該送信された提供情報を情報処理装置が受信して情報処理を行う情報処理方法において、フォーマットで設定された一の領域に、情報処理装置で表示可能な表示データを情報提供装置が記述し、他の領域に、情報処理装置が解読可能な形式の地点情報データを情報提供装置が記述することにより生成された提供情報を情報処理装置の受信手段によりネットワークを介して受信する受信ステップと、受信ステップによって受信した提供情報の一の領域に記述されている表示データに対応した表示内容を情報処理装置の表示制御手段により表示手段に表示する表示制御ステップと、提供情報を情報処理装置の解析手段により所定の補助プログラムに従って解析し、他の領域に記述されている地点情報データを読み出す解析ステップと、解析ステップによって読み出された地点情報データをユーザからの指示に応じて所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行う制御ステップとを有するようにする。
【００１８】
これにより、情報処理方法では、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができる。
【００１９】
さらに本発明においては、所定のフォーマットで生成された種々の提供情報が情報提供装置から所定のネットワークを介して送信され、当該送信された提供情報を情報処理装置が受信して情報処理を行うプログラムが記録されたコンピュータ読み取り可能な記録媒体において、フォーマットで設定された一の領域に、情報処理装置で表示可能な表示データを情報提供装置が記述し、他の領域に、情報処理装置が解読可能な形式の地点情報データを情報提供装置が記述することにより生成された提供情報を情報処理装置がネットワークを介して受信する受信ステップと、受信ステップによって受信した提供情報の一の領域に記述されている表示データに対応した表示内容を情報処理装置が表示手段に表示する表示制御ステップと、提供情報を情報処理装置が所定の補助プログラムに従って解析し、他の領域に記述されている地点情報データを読み出す解析ステップと、解析ステップによって読み出された地点情報データをユーザからの指示に応じて所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行う制御ステップとを有するようにする。
【００２０】
これにより、この記録媒体をコンピュータに読み取らせれば、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができる。
【００２１】
【発明の実施の形態】
以下図面について、本発明の一実施の形態を詳述する。
【００２２】
（１）地図情報授受システムの全体構成
図１において、１００は全体として本発明における情報授受システムとしての地点情報授受システムを示し、インターネットサービスプロバイダ（以下、これを単にプロバイダと呼ぶ）１０１が所有する情報提供装置としてのＷＷＷ(World Wide Web)サーバ１０２と情報処理装置としてのクライアント１０３とがインターネット１０４を介して接続され、ＷＷＷサーバ３から提供されるＨＴＭＬ(Hyper Text Markup Language)ファイルをクライアント４で受信し、ＷＷＷ(World Wide Web)ブラウザによって解析することによりＷｅｂページを画面上に表示するようになされている。
【００２３】
（２）ＷＷＷサーバの構成
図２に示すようにＷＷＷサーバ１０２は、ルータを介してインターネット１０４と接続されており、クライアント１０３から特定の地点情報に関するＷｅｂページの転送要求をインターフェース１０５及びバス１１０を介してＣＰＵ(Central Processing Unit) １０６が受ける。
【００２４】
ＣＰＵ１０６は、転送要求に基づいてハードディスクドライブ（ＨＤＤ）１０７に格納されているＨＴＭＬファイル作成プログラムを読み出してＲＡＭ１０８上で立ち上げ、当該ＨＴＭＬファイル作成プログラムに従って地点情報ファイルデータベース１０９から特定の地点情報ファイルを検索して読み出した後、当該地点情報ファイルを基にＨＴＭＬファイルを作成し、これをインターフェース１０５及びルータを介してクライアント１０３へ送信するようになされている。
【００２５】
すなわちＷＷＷサーバ１０２は、クライアント１０３から特定の地点情報の転送要求を受けると、その時点からＣＧＩ(Common Gateway Interface)を用いて地点情報ファイルデータベース１０９から特定の地点情報ファイルを読み出し、ＨＴＭＬファイルをダイナミックに作成するようになされており、予め特定の地点情報に関するＨＴＭＬファイルを作成して記憶しておく必要はない。
【００２６】
従ってＷＷＷサーバ１０２は、全ての地点情報に関するＨＴＭＬファイルを予め作成して保持しておく必要がないことにより、ＨＴＭＬファイルを保持しておく記憶装置等が不要でサーバ自身の負担が少なくて済むようになされている。
【００２７】
（３）クライアントの構成
次に、地点情報授受システム１００におけるクライアント１０３の構成について説明する。
【００２８】
（３−１）クライアントの外観構成
図３に示すようにクライアント１０３は、Ｂ５サイズ以下の持ち運び易い携帯型パーソナルコンピュータ装置でなり、本体２と当該本体２に対して開閉自在に取り付けられた表示部３とによって構成されている。
【００２９】
本体２には、上面に各種文字や記号及び数字等を入力する複数の操作キー４、表示部３入力表示されるカーソルを移動するときに操作するスティック式ポインティングデバイス５、内蔵スピーカ６、表示部３に設けられたＣＣＤ(Charge Coupled Device) カメラ２３によって画像を撮像するときに操作するシャッタボタン７が設けられている。
【００３０】
表示部３の正面には、ＬＣＤ(Liquid Crystal Display)でなる液晶ディスプレイ２１が設けられており、正面の中央上端部にＣＣＤカメラ２３を備えた撮像部２２が表示部３に対して回動自在に取り付けられている。
【００３１】
すなわち撮像部２２は、表示部３の正面方向及び背面方向との間の１８０度の角度範囲内で回動して任意の位置に位置決めし得るようになされている。また撮像部２２には、図４に示すようにＣＣＤカメラ２３のフォーカス調整を行う調整リング２５が設けられている。
【００３２】
また表示部３（図３）の正面には、撮像部２２の左隣にマイクロフォン２４が設けられており、当該マイクロフォン２４を介して表示部３の背面側（図７）からも集音し得るようになされている。
【００３３】
また表示部３における正面の中央下端部には、ＬＥＤ(Light Emitting Diode)でなる電源ランプＰＬ、電池ランプＢＬ、メッセージランプＭＬ及びその他の種々の用途に対応したランプが設けられている。
【００３４】
さらに表示部３の正面上端部には、マイクロフォン２４の左隣にツメ１３が設けられると共に、当該ツメ１３と対応する本体２の所定位置に孔部８が設けられており、表示部３を本体２に閉塞した状態でツメ１３が孔部８に嵌合されてロックするようになされている。
【００３５】
本体２の正面には、図４に示すようにスライドレバー９が設けられており、当該スライドレバー９を正面に沿って矢印方向にスライドすることにより、孔部８に嵌合されたツメ１３のロックを解除して表示部３を本体２に対して展開し得るようになされている。
【００３６】
また本体２の正面には、１回のボタン操作で電源オンから所定のアプリケーションソフトウェア（以下、これを単にアプリケーションと呼ぶ）を立ち上げて予め設定しておいた一連の動作を自動的に実行するためのプログラマブルパワーキー（ＰＰＫキー）１０が左端部に設けられると共に、右端部に複数の吸気孔１１が設けられている。
【００３７】
本体２の左側面には、図５に示すようにスライド式の電源スイッチ４０、４ピン対応のＩＥＥＥ(Institute of Electrical and Electronics Engineers) １３９４端子４１、ＵＳＢ(Universal Serial Bus)端子４２、マイクロフォン用入力端子４３、ヘッドフォン端子４４及びＩｒＤＡ(Infrared Data Association) 準拠の赤外線ポート４５が設けられている。
【００３８】
本体２の右側面には、図６に示すように排気孔１２が設けられており、当該排気孔１２の右隣にはＰＣＭＣＩＡ(Personal Computer Memory Card International Association) カード（以下、これをＰＣカードと呼ぶ）を挿入するためのＰＣカードスロット１３が設けられている。
【００３９】
また本体２の下面には、図７に示すように増設メモリを取り付けるための開口部２５を被覆する蓋２６が取り付けられると共に、当該蓋２６のロック用ツメを外すためのピン挿入用孔４８が設けられている。
【００４０】
（３−２）クライアントの回路構成
図８に示すようにクライアント１０３の本体２においては、起動シーケンス制御部８３のＰＣＩ(Peripheral Component Interconnect) バス５１に、ＣＰＵ(Central Processing Unit) ５２、ＰＣ(Personal Computer) カードスロット１３、ＲＡＭ(Random Access Memory)５４、表示部３の液晶ディスプレイ２１に表示する画像を生成するためのグラフィックス処理回路５５及び他のコンピュータ装置や外部機器と接続してディジタルデータを取り込むためのＩＥＥＥ１３９４端子４１に直結されたＩＥＥＥインターフェース５６が接続されている。
【００４１】
ＣＰＵ５２は、本体２における各種機能を統括的に制御するコントローラであり、ＲＡＭ５４にロードされた各種プログラムを実行することにより各種機能を実行し得るようになされている。
【００４２】
ＰＣＩバス５１は、ＩＳＡ(Industrial Standard Architecture)バス５９に接続されており、当該ＩＳＡバス５９にはハードディスクドライブ６０、Ｉ／Ｏ(In/Out)コントローラ６１、キーボードコントローラ６２、ポインティングデバイスコントローラ６３、サウンドチップ６４、ＬＣＤコントローラ６５、モデム６６及びＵＳＢインターフェース６７が接続されている。
【００４３】
ここでキーボードコントローラ６２は、操作キー４（図３）の押下に応じた制御信号の入力をコントロールし、ポインティングデバイスコントローラ６３はスティック式ポインティングデバイス５（図３）による制御信号の入力をコントロールする。
【００４４】
またサウンドチップ６４は、マイクロフォン２４（図３）からの音声入力を取り込み又は内蔵スピーカ６（図３）に対して音声信号を供給し、モデム６６は公衆電話回線９０及びインターネット１０４を介してプロバイダ１０１のＷＷＷサーバ１０２に接続する。なおＵＳＢインターフェース６７は、ＵＳＢ端子４２に接続されており、ＵＳＢマウスやフロッピーディスクドライブ等の周辺機器を接続するようになされている。
【００４５】
ハードディスクドライブ６０には、静止画像を取り込むためのキャプチャーソフトウェア６０Ａ、ディジタル地図ソフトウェア６０Ｂ及びWindows98(商標) でなるＯＳ(Operating System)６０Ｃ、及びＣＣＤカメラ２３によって撮像した画像データを自動的に取り込んで記憶する画像自動取込ソフトウェア６０Ｄや各種アプリケーションソフトウェア（図示せず）が格納されており、必要に応じてＣＰＵ５２によって読み出されてＲＡＭ５４にロードされる。
【００４６】
Ｉ／Ｏコントローラ６１は、Ｉ／Ｏインターフェース６９、ＣＰＵ７０、ＥＥＰＲＯＭ(Electrically Erasable and Programmable Read Only Memory) でなるＲＯＭ(Read Only Memory)７１及びＲＡＭ７２が相互に接続されて構成されており、ＲＴＣ(Real-Time Clock) ８１によって現在時刻が常時供給されている。
【００４７】
Ｉ／Ｏコントローラ６１のＲＯＭ７１には、ＢＩＯＳ(Basic Input/Output Sustem) ７３、ウェイクアッププログラム７４、キー入力監視プログラム７５及びＬＥＤ制御プログラム７６が格納されると共に、ＲＡＭ７２にはキー入力ステイタスレジスタ７７、設定時刻レジスタ７８、ＬＥＤ制御レジスタ７９及びキー対応アプリケーションレジスタ８０が設けられている。
【００４８】
ＲＡＭ７２に格納されているキー入力ステイタスレジスタ７７は、操作キーフラグを格納し得るようになされており、ＣＰＵ７０はキー入力監視プログラム７５に基づいてワンタッチ操作用のＰＰＫキー１０（図４）が押下されたか否かを監視し、当該ＰＰＫキー１０が押下されるとキー入力ステイタスレジスタ７７に操作キーフラグを格納する。
【００４９】
また設定時刻レジスタ７８は、ユーザが予め任意に設定した開始時刻等の時刻情報を格納し得るようになされており、ＣＰＵ７０はウェイクアッププログラム７４に基づいてＲＴＣ８１から与えられる現在時刻が任意に設定した開始時刻になったか否かを検出し、開始時刻になると所定の処理を実行する。
【００５０】
さらにキー対応アプリケーションレジスタ８０は、ＰＰＫキー１０や予め設定された操作キー４の組み合わせに対応して、ＰＰＫキー１０や複数の組み合わせでなる操作キー４と起動すべきアプリケーションとの対応関係を記憶しており、ＣＰＵ７０はＰＰＫキー１０や予め設定された組み合わせの操作キー４が押下されたときに、対応するアプリケーションを立ち上げるための制御データをＩＳＡバス５９及びＰＣＩバス５１を順次介してＣＰＵ５２に送出し、当該ＣＰＵ５２によって制御データに応じたアプリケーションソフトウェアを立ち上げる。
【００５１】
またＬＥＤ制御レジスタ７９は、キー対応アプリケーションレジスタ８０に記憶したアプリケーションソフトウェアが立ち上げられて動作が終了すると終了フラグを格納し、ＣＰＵ７０はＬＥＤ制御プログラム７６に基づいてＬＥＤ制御レジスタ７９に終了フラグが格納されていることを検出すると、メッセージランプＭＬを点灯する。
【００５２】
なおＬＥＤ制御レジスタ７９は、電源スイッチ４０が押下されると電源フラグを格納し、バッテリから供給される電源電圧で本体２が動作するときには電池フラグを格納する。従ってＣＰＵ７０は、ＬＥＤ制御プログラム７６に基づいて電源フラグ又は電池フラグが格納されていることを検出すると、電源ランプＰＬ及び電池ランプＢＬを点灯する。
【００５３】
ここでＩ／Ｏコントローラ６１には、バックアップ用のバッテリ８２が接続されていることにより、本体２の電源スイッチ４０がオフで図示しない電源から電力の供給がなされていない状態でもＲＡＭ７２のキー入力ステイタスレジスタ７７、設定時刻レジスタ７８、ＬＥＤ制御レジスタ７９及びキー対応アプリケーションレジスタ８０の各データを保持するようになされている。
【００５４】
またＩ／Ｏコントローラ６１に接続された反転スイッチ８８は、撮像部２２（図３）が表示部３の液晶ディスプレイ２１の反対側を撮像する方向に１８０度回転されたときオンされ、その状態をＣＰＵ７０に通知する。またＰＰＫキー１０も、反転スイッチ８８が押下されたときと同様に、その状態をＣＰＵ７０に通知する。
【００５５】
さらに半押しスイッチ８６は、本体２の上面に設けられたシャッタボタン７が半押し状態にされたときオンしてその状態をＩ／Ｏコントローラ６１のＣＰＵ７０に通知し、全押しスイッチ８７はシャッタボタン７が全押し状態にされたときオンしてその状態をＩ／Ｏコントローラ６１のＣＰＵ７０に通知するようになされている。
【００５６】
すなわちＩ／Ｏコントローラ６１のＣＰＵ７０は、ハードディスクドライブ６０のキャプチャーソフトウェア６０Ａを立ち上げた状態で、ユーザによってシャッタボタン７が半押し状態にされると静止画像モードに入り、ＣＣＤカメラ２３を制御して静止画像のフリーズを実行し、全押し状態にされるとフリーズされた静止画像データを取り込み、データ処理部８５に送出する。
【００５７】
これに対してＩ／Ｏコントローラ６１のＣＰＵ７０は、キャプチャーソフトウェア６０Ａを立ち上げない状態で動画像モードに入ると、最大６０秒程度までの動画像を取り込み、データ処理部８５に送出する。
【００５８】
またＩ／Ｏコントローラ６１は、ＰＣＩバス５１に接続されているグラフィックス処理回路５５を制御するようになされており、ＣＣＤカメラ２３によって取り込まれた静止画又は動画でなる画像データをデータ処理部８５によって所定のデータ処理を施した後にグラフィックス処理回路５５に入力する。
【００５９】
グラフィックス処理回路５５は、供給された画像データを内蔵のＶＲＡＭ(Video Random Access Memory)５５Ａに格納して適宜読み出した後ＬＣＤコントローラ６５に送出し、必要に応じてハードディスクドライブ６０に格納する。
【００６０】
ＬＣＤコントローラ６５は、表示部３のバックライト８４を制御して液晶ディスプレイ２１の後方から照明すると共に、グラフィックス処理回路５５から供給された画像データを液晶ディスプレイ２１に出力して表示させるようになされている。
【００６１】
一方、ＣＰＵ５２はハードディスクドライブ６０から読み出したディジタル地図ソフトウェア６０ＢをＲＡＭ５４上に立ち上げた場合、当該ディジタル地図ソフトウェア６０Ｂによる地図データをグラフィックス処理回路５５に送出する。
【００６２】
このときグラフィックス処理回路５５は、供給された地図データに基づいて液晶ディスプレイ２１に表示する地図画像データを生成してＶＲＡＭ５５Ａに格納し、適宜読み出してＬＣＤコントローラ６５に送出する。
【００６３】
これによりＬＣＤコントローラ６５は、グラフィックス処理回路５５から供給された地図画像データに基づいて表示部３の液晶ディスプレイ２１に地図画像を表示させるようになされている。
【００６４】
またＰＣＩバス５１に接続されているＰＣカードスロット１３は、オプション機能を追加するときにＰＣカード（図示せず）を介して適宜装着され、当該ＰＣカードを介してＣＰＵ５２とデータを授受するようになされている。例えばＰＣカードスロット１３にＰＣＭＣＩＡ型のＧＰＳ(Global Positioning System) カード５７が装着された場合、当該ＧＰＳカード５７に接続されたＧＰＳアンテナ５８によりＧＰＳ衛星からの電波を受信して現在位置データを得るようになされている。
【００６５】
これによりＧＰＳカード５７は、ＧＰＳアンテナ５８を介して受信した現在位置データ（緯度データ、経度データ及び高度データ）をＰＣＩバス５１を介してＣＰＵ５２へ送出する。
【００６６】
この場合ＣＰＵ５２は、現在位置データをグラフィックス処理回路５５に送出し、当該グラフィックス処理回路５５により現在位置データに基づく現在位置を示す矢印アイコンを生成した後、ＬＣＤコントローラ６５を介して液晶ディスプレイ２１の地図画像に矢印アイコンを重ねた状態で表示するようになされている。
【００６７】
かくして液晶ディスプレイ２１は、ＧＰＳカード５７によって検出した位置データを基に矢印アイコンを地図画像上で移動させながら表示し得るようになされている。
【００６８】
（４）Ｗｅｂページで指定された地点情報の自動取込
次に、地点情報授受システム１００においてＷＷＷサーバ１０２からクライアント１０３へ供給されたＷｅｂページ上の地点情報をディジタル地図ソフトウェア６０Ｂに自動的に取り込んで登録する処理について具体的に説明する。
【００６９】
実際上、クライアント１０３はＣＰＵ５２（図８）によってディジタル地図ソフトウェア６０Ｂをハードディスクドライブ６０から読み出してＲＡＭ５４上で立ち上げ、グラフィックス処理回路５５及びＬＣＤコントローラ６５を制御することにより、表示部３の液晶ディスプレイ２１に図９に示すような地図画面１２０を表示する。ここで地図画面１２０には、ユーザが選択した所望エリアの地図が表示されている。
【００７０】
この地図画面１２０上でヘルプボタン１２１がユーザによって選択されると、ＣＰＵ５２はヘルプボタン１２１のすぐ下に所定のダイアログボックス１２２を表示する。このダイアログボックス１２２には、ディジタル地図ソフトウェアの使い方やキー操作ガイドの選択ボタンに加えて、ディジタル地図ソフトウェアのホームページや地点情報を検索する地点情報検索ホームページの選択ボタンが表示されている。
【００７１】
地図画面１２０に表示されたダイアログボックス１２２のうち地点情報検索ホームページの選択ボタンがクリックされると、ＣＰＵ５２はモデム６６によって電話回線９０及びインターネット１０４を介してプロバイダ１０１のＷＷＷサーバ１０２にアクセスして地点情報検索ホームページの供給を受け、液晶ディスプレイ２１に図１０に示すような地点情報検索ホームページのトップページ１２５を表示する。
【００７２】
この地点情報検索ホームページのトップページ１２５では、検索条件入力領域１２６に所望の地点情報を検索するための地名及びキーワードを入力し得るようになされており、ユーザによって検索条件が入力された後に検索ボタン１２７がクリックされると、ＣＰＵ５２は検索条件データをプロバイダ１０１のＷＷＷサーバ１０２へ送信する。
【００７３】
ＷＷＷサーバ１０２は、クライアント１０３から送られてきた検索条件データに基づいて検索処理を実行し、その検索結果をクライアント１０３へ送り返す。
【００７４】
クライアント１０３は、ＷＷＷサーバ１０２からの検索結果を受けた後ＣＰＵ５２の制御により図１１に示すような検索結果画面１２８を液晶ディスプレイ２１に表示する。この検索結果画面１２８には、ユーザによって入力された検索条件（この場合、地名が横浜市でキーワードがラーメン）に対応するラーメン屋の店舗が複数表示されており、この中からユーザ所望の店舗名が記述されている例えばナンバ２のアンカー（ラーメン  かまくら）がクリックされると、ＣＰＵ５２はナンバ２の店舗に関する詳細内容を表したＷｅｂページの転送要求をプロバイダ１０１のＷＷＷサーバ１０２に対して行う。
【００７５】
ＷＷＷサーバ１０２（図２）は、クライアント１０３からの転送要求を受けると、その時点でハードディスクドライブ１０７のＨＴＭＬファイル作成プログラムを読み出し、当該ＨＴＭＬファイル作成プログラムに従って指定されたナンバ２の店舗に関する地点情報ファイルを地点情報ファイルデータベース１０９から読み出してダイナミックにＨＴＭＬファイルを生成し、これをクライアント１０３へ返信する。
【００７６】
ここで、ＷＷＷサーバ１０２によって生成されたＨＴＭＬファイルのデータ構造について図１２を用いて説明する。このＨＴＭＬファイルでは、表示データ記述領域Ｒ１、オブジェクトタグ記述領域Ｒ２及びコメントタグ記述領域Ｒ３に分けられている。
【００７７】
表示データ記述領域Ｒ１には、店舗の存在位置や詳細を表した地点情報に関する表示データがＨＴＭＬのタグで記述されており、クライアント１０３のＯＳ(Windows98 (商標))６０Ｃに付属のＷＷＷブラウザ(Internet Explorer (商標))によって解析されることにより、液晶ディスプレイ２１に通常のＷｅｂページとして表示される。
【００７８】
オブジェクトタグ記述領域Ｒ２には、ＨＴＭＬでは実行が困難な処理をＷＷＷブラウザ上で実現する補助プログラム（例えばＡｃｔｉｖｅＸコントロール (商標) ）を埋め込むためのデータが記述されており、そのうちのクラスＩＤ（ＣＬＡＳＳＩＤ）に対応した補助プログラムの起動ボタン（後述する）がＷｅｂページの指定された領域に表示されるようになされている。
【００７９】
ここで補助プログラムは、クライアント１０３のＷＷＷブラウザ上で起動するようになされており、ハードディスクドライブ６０のハードディスクに格納されたディジタル地図ソフトウェア６０Ｂに付随して予めインストールされたオブジェクト（プログラム）である。
【００８０】
コメントタグ記述領域Ｒ３には、Ｗｅｂページに表示された取込ボタンがクリックされたときに補助プログラムに従ってクライアント１０３のＣＰＵ５２が読み出し得るフォーマット、すなわちＨＴＭＬのコメントタグを用いた地点情報が記述されており、ここでは表示データ記述領域Ｒ１に記述された表示データにおける店舗の存在位置や詳細と同一内容である。
【００８１】
但しコメントタグ記述領域Ｒ３に記述された店舗の地点情報は、Ｗｅｂページに表示された取込ボタンがクリックされない場合には通常ＣＰＵ５２によって読み出されることなく読み飛ばされる。
【００８２】
またコメントタグ記述領域Ｒ３に記述されている地点情報の詳細内容としては、通常のＷｅｂページとして表示されるものと同一である上、さらに「ＰＯＳＩＴＩＯＮ＝127522830:502585147 」と記述された店舗の緯度及び経度に関する地図データと、「ＣＡＴＥＧＯＲＹＣＯＤＥ＝１」と記述された店舗のカテゴリ（この場合には「グルメスポット」に相当する）を示すカテゴリコードが含まれている。
【００８３】
実際上、このようなデータ構造のＨＴＭＬファイルがＷＷＷサーバ１０２からクライアント１０３へ返信され、当該クライアント１０３のＷＷＷブラウザによって解析されると、図１３に示すようなＷｅｂページ１３０が液晶ディスプレイ２１に表示される。
【００８４】
Ｗｅｂページ１３０は、検索結果画面１２８の中からユーザによって選択された店舗の詳細ページであり、選択された店舗である「ラーメン  かまくら」の店舗写真でなる静止画像１５１と、住所、電話番号、ＦＡＸ、営業時間及び定休日等の詳細情報１５２と、店舗のコメント１５３とが表示データ記述領域Ｒ１の表示データに基づいて表示されると共に、補助プログラムの起動ボタン１３１が左下部分の所定領域に表示される。
【００８５】
ここで補助プログラムは、Ｗｅｂページ１３０が液晶ディスプレイ２１に表示された時点でＲＡＭ５４上で立ち上げられる。
【００８６】
このＷｅｂページ１３０において、ユーザが店舗の詳細内容を確認した後その地点情報をディジタル地図ソフトウェア６０Ｂで表示される地図画面１２０上に対応付けて登録しようとした場合、起動ボタン１３１をクリックする。
【００８７】
これによりクライアント１０３は、ＲＡＭ５４上で立ち上げられた補助プログラムに基づいてＣＰＵ５２がコメントタグ記述領域Ｒ３に記述されている店舗の地点情報を読み出し、当該地点情報をディジタル地図ソフトウェア６０Ｂに受け渡す。
【００８８】
このときＣＰＵ５２は、地点情報をディジタル地図ソフトウェア６０Ｂに受け渡したことを示す取込フラグをたて、起動ボタン１３１が再度クリックされたときでも取込フラグの状態を確認することにより、地点情報をディジタル地図ソフトウェア６０Ｂに再度受け渡すことを防止し得るようになされている。
【００８９】
同時にＣＰＵ５２は、取込フラグの状態に応じて起動ボタン１３１の縁部の色を変化させるようになされており、取込フラグをたてたときには起動ボタン１３１の縁部を赤色に変えて表示するようになされている。このようにクライアント１０３は、起動ボタン１３１の縁部を赤色に変えて表示することにより、起動ボタン１３１のクリック操作によって地点情報がディジタル地図ソフトウェア６０Ｂに既に受け渡されたことをユーザに認識させるようになされている。
【００９０】
そして図１４に示すようにクライアント１０３は、補助プログラムに従ってＣＰＵ５２により読み出されたコメントタグ記述領域Ｒ３の地点情報のうち「ＰＯＳＩＴＩＯＮ＝127522830:502585147 」（図１２）と記述された店舗の緯度及び経度に関する地図データに基づいて、地図画面１２０上の所定位置にカテゴリコードに対応した所定マークのユーザーズポイントアイコン１３５を表示する。すなわち地図画面１２０では、ユーザーズポイントアイコン１３５の表示された位置に「ラーメン  かまくら」の店舗が存在していることを示している。
【００９１】
因みに、緯度及び経度に関する地図データはディジタル地図ソフトウェア６０Ｂによって表示し得る所定のフォーマットで変換されており、実際の緯度及び経度とは異なるデータである。
【００９２】
同時にクライアント１０３は、ディジタル地図ソフトウェア６０Ｂに基づいて地図画面１２０の左側領域に表示したユーザーズポイント登録画面１３６における「コメント／画像」欄１３７の静止画像表示エリア１３８に、地点情報に応じて「ラーメン  かまくら」の店舗写真でなる静止画像１５１を貼り付けて表示すると共に、コメント欄１３９に店舗からのコメント１５３を表示する。
【００９３】
さらに、このとき同時にクライアント１０３は、コメントタグ記述領域Ｒ３から読み出した地点情報をユーザーズポイントアイコン１３５に対応させてハードディスクドライブ６０に格納するようになされている。
【００９４】
これによりクライアント１０３は、ユーザーズポイントアイコン１３５がクリックされたとき、ＣＰＵ５２の制御に基づいてユーザーズポイントアイコン１３５に対応付けて記憶された地点情報を読み出して静止画像１５１及びコメント１５３の貼り付けられたユーザーズポイント登録画面１３６を表示し得るようになされている。
【００９５】
因みにユーザーズポイント登録画面１３６には、コマンドパネル１４０にユーザが任意に設定した位置であることを示す「ユーザーズポイント」が自動的に表示され、名称パネル１４１に店舗の名称を示す「ラーメン  かまくら」が自動的に表示され、カテゴリパネル１４２にカテゴリコードに対応したカテゴリを示す「グルメスポット」が自動的に表示されると共に、アイコン表示パネル１４３にカテゴリコードの「グルメスポット」に対応したフォークとナイフの絵でなるユーザーズポイントアイコン１３５が自動的に表示される。
【００９６】
次に、クライアント１０３のＣＰＵ５２によって液晶ディスプレイ２１に表示されたＷｅｂページ１３０の地点情報をディジタル地図ソフトウェア６０Ｂで表示された地図画面１２０上の位置に対応させて登録する自動取込処理手順について図１５のフローチャートを用いて説明する。
【００９７】
クライアント１０３のＣＰＵ５２は、ＲＴ１の開始ステップから入ってステップＳＰ１に移る。ステップＳＰ１においてＣＰＵ５２は、ユーザによって選択された店舗の地点情報を表したＷｅｂページ１３０をＨＴＭＬファイルの表示データ記述領域Ｒ１に記述された表示データに基づいて液晶ディスプレイ２１に表示し、次のステップＳＰ２に移る。
【００９８】
ステップＳＰ２においてＣＰＵ５２は、ＨＴＭＬファイルのオブジェクトタグ記述領域Ｒ２に記述されたデータに基づいて補助プログラムに対応した起動ボタン１３１をＷｅｂページ１３０上の所定位置に表示すると共に取込フラグを初期化し、次のステップＳＰ３に移る。
【００９９】
ステップＳＰ３においてＣＰＵ５２は、Ｗｅｂページ１３０の起動ボタン１３１がユーザによってクリックされたか否かを判定する。ここで否定結果が得られると、このことは起動ボタン１３１がクリックされていないことを表しており、このときＣＰＵ５２はステップＳＰ３に戻って起動ボタン１３１がクリックされるまで待ち受ける。
【０１００】
これに対してステップＳＰ３において肯定結果が得られると、このことは起動ボタン１３１がユーザによってクリックされたことを表しており、このときＣＰＵ５２は次のステップＳＰ４に移る。
【０１０１】
ステップＳＰ４においてＣＰＵ５２は、起動ボタン１３１のクリック操作に基づいてＨＴＭＬファイル内のコメントタグ記述領域Ｒ３に対する解析処理を実行し、次のステップＳＰ５に移る。
【０１０２】
ステップＳＰ５においてＣＰＵ５２は、コメントタグ記述領域Ｒ３に店舗の詳細内容を表した地点情報が記述されているか否かを判定する。ここで否定結果が得られると、このことはコメントタグ記述領域Ｒ３に店舗の地点情報が記述されていないことを表しており、このときＣＰＵ５２はステップＳＰ３に戻って上述の処理を繰り返す。
【０１０３】
これに対してステップＳＰ５において肯定結果が得られると、このことはコメントタグ記述領域Ｒ３に店舗の地点情報が記述されていることを表しており、このときＣＰＵ５２は次のステップＳＰ６に移る。
【０１０４】
ステップＳＰ６においてＣＰＵ５２は、コメントタグ記述領域Ｒ３に記述されている店舗の詳細内容を表した地点情報が既にディジタル地図ソフトウェア６０Ｂに受け渡されたものであるか否かを取込フラグの状態に基づいて判定する。ここで肯定結果が得られると、このことは地点情報が既にディジタル地図ソフトウェア６０Ｂに受け渡されていることを表しており、このときＣＰＵ５２は次のステップＳＰ７に移る。
【０１０５】
ステップＳＰ７においてＣＰＵ５２は、ディジタル地図ソフトウェア６０Ｂによる地図画面１２０を液晶ディスプレイ２１の最前面に表示する処理を実行し、次のステップＳＰ８に移る。
【０１０６】
ステップＳＰ８においてＣＰＵ５２は、ユーザーズポイントアイコン１３５が登録された領域部分の地図画面１２０を表示し、ステップＳＰ３に戻る。
【０１０７】
これに対してステップＳＰ６において否定結果が得られると、このことは取込フラグがたっておらず、店舗の詳細内容を表した地点情報がディジタル地図ソフトウェア６０Ｂに未だ受け渡されていないことを表しており、このときＣＰＵ５２は次のステップＳＰ９に移る。
【０１０８】
ステップＳＰ９においてＣＰＵ５２は、コメントタグ記述領域Ｒ３に記述されている地点情報を補助プログラムに従って読み出し、次のステップＳＰ１０に移る。
【０１０９】
ステップＳＰ１０においてＣＰＵ５２は、コメントタグ記述領域Ｒ３から読み出した地点情報をディジタル地図ソフトウェア６０Ｂに受け渡し、次のステップＳＰ１１に移る。
【０１１０】
ステップＳＰ１１においてＣＰＵ５２は、ディジタル地図ソフトウェア６０Ｂによる地図画面１２０を液晶ディスプレイ２１の最前面に表示する処理を実行し、次のステップＳＰ１２に移る。
【０１１１】
ステップＳＰ１２においてＣＰＵ５２は、ディジタル地図ソフトウェア６０Ｂに地点情報を受け渡したので取込フラグをたて、地点情報のうち緯度及び経度に応じた地図画面１２０上の位置にユーザーズポイントアイコン１３５を表示し、ユーザーズポイント登録画面１３６における静止画像表示エリア１３８に店舗写真でなる静止画像１５１を貼り付けて表示すると共に、コメント欄１３９に店舗のコメント１５３を表示し、次のステップＳＰ１３に移る。このときＣＰＵ５２は、地点情報をユーザーズポイントアイコン１３５に対応させてハードディスクドライブ６０に格納する。
【０１１２】
ステップＳＰ１３においてＣＰＵ５２は、コメントタグ記述領域Ｒ３から読み出した地点情報をディジタル地図ソフトウェア６０Ｂに受け渡し、地図画面１２０に対してユーザーズポイントアイコン１３５の登録処理が終了したので起動ボタン１３１の縁部を赤色に表示した後、ステップＳＰ３に戻って処理を終了する。
【０１１３】
（５）実施の形態における動作及び効果
以上の構成において、クライアント１０３は検索結果画面１２８（図１１）の中からナンバ２のアンカー（ラーメン  かまくら）がクリックされると、当該クリックされた店舗の詳細内容を表すＷｅｂページ１３０の転送要求をＷＷＷサーバ１０２に対して行う。
【０１１４】
ＷＷＷサーバ１０２は、クライアント１０３からの転送要求を受けると、その時点から指定された店舗の地点情報ファイルを地点情報ファイルデータベース１０９から読み出してＷｅｂページ１３０を表示するための表示データを表示データ記述領域Ｒ１に記述し、補助プログラムの起動及びＷｅｂページ１３０上に起動ボタン１３１を表示するためのデータをオブジェクトタグ記述領域Ｒ２に記述し、クライアント１０３のＣＰＵ５２が補助プログラムに従って読み出すための地点情報をコメントタグ記述領域Ｒ３に記述することによりＨＴＭＬファイルを作成し、これを転送要求したクライアント１０３へ返信する。
【０１１５】
このようにＷＷＷサーバ１０２は、クライアント１０３からの転送要求を受けた時点からダイナミックにＨＴＭＬファイルを作成するが、このとき表示データ記述領域Ｒ１に記述した表示データと同一内容の地点情報をコメントタグ記述領域Ｒ３にＨＴＭＬのタグを用いて記述するようにしたことにより、ＨＴＭＬファイルの作成が容易かつ単純であると共に、予め地点情報のファイルを作成して保持しておく必要がないのでサーバ自身の負担が少なくて済む。
【０１１６】
クライアント１０３は、ＨＴＭＬファイルを受信し、ＷＷＷブラウザによってＨＴＭＬファイルを解析することにより、液晶ディスプレイ２１に転送要求した店舗の詳細内容を表したＷｅｂページ１３０を表示する。
【０１１７】
そしてクライアント１０３は、Ｗｅｂページ１３０上の起動ボタン１３１がユーザによってクリックされると、ＣＰＵ５２が補助プログラムに従ってコメントタグ記述領域Ｒ３に記述されている地点情報を読み出し、これをディジタル地図ソフトウェア６０Ｂに受け渡す。
【０１１８】
このときクライアント１０３が受信したＨＴＭＬファイルには、予めディジタル地図ソフトウェア６０Ｂに受け渡すべき地点情報がコメントタグ記述領域Ｒ３に記述されており、起動ボタン１３１のクリック操作に基づいてコメントタグ記述領域Ｒ３の地点情報が直ちに読み出されるようになされている。
【０１１９】
これによりクライアント１０３は、地点情報をダウンロードする必要がなく起動ボタン１３１のクリック操作に応じてＨＴＭＬファイルのコメントタグ記述領域Ｒ３から地点情報を読み出し、当該地点情報をディジタル地図ソフトウェア６０Ｂにリアルタイムに受け渡すことができる。
【０１２０】
かくしてクライアント１０３は、地点情報の地図データに基づいて地図画面１２０上の所定位置にユーザーズポイントアイコン１３５を表示し、ユーザーズポイント登録画面１３６における静止画像表示エリア１３８に店舗写真でなる静止画像１５１を貼り付けて表示すると共に、コメント欄１３９に店舗からのコメント１５３を表示する
このとき同時にクライアント１０３は、コメントタグ記述領域Ｒ３から読み出した地点情報をユーザーズポイントアイコン１３５に対応させてハードディスクドライブ６０に格納する。
【０１２１】
ところでクライアント１０３は、コメントタグ記述領域Ｒ３に記述されている地点情報を読み出し、これをディジタル地図ソフトウェア６０Ｂに受け渡したときに取込フラグをたてるようにしたことにより、起動ボタン１３１が再クリックされたときに地点情報をディジタル地図ソフトウェア６０Ｂに再度受け渡すことを防止している。
【０１２２】
またクライアント１０３は、コメントタグ記述領域Ｒ３から読み出した地点情報をディジタル地図ソフトウェア６０Ｂに受け渡したときに、起動ボタン１３１の縁部を赤色に変えて表示するようにしたことにより、ユーザに起動ボタン１３１がクリックされて地点情報の受け渡しが既に実行されたことを認識させる。
【０１２３】
以上の構成によれば、地点情報授受システム１００はＷＷＷサーバ１０２によってコメントタグ記述領域Ｒ３に地点情報を記述して作成したＨＴＭＬファイルをクライアント１０３へ送信し、当該クライアント１０３で受信したＨＴＭＬファイルをＷＷＷブラウザで解析し、コメントタグ記述領域Ｒ３に記述されている地点情報を補助プログラムに従って読み出してディジタル地図ソフトウェア６０Ｂに受け渡し、当該ディジタル地図ソフトウェア６０Ｂに従って所定の処理を実行すると共に地点情報をハードディスクドライブ６０に格納するようにしたことにより、起動ボタン１３１のクリック操作に基づいてディジタル地図ソフトウェア６０Ｂによって表示される地図画面１２０上の所定位置にＷｅｂページに表示された地点情報を自動的に取り込んで登録することができる。
【０１２４】
（６）他の実施の形態
なお上述の実施の形態においては、クライアント１０３のＣＰＵ５２によってＷｅｂページの起動ボタン１３１がクリックされたとき、コメントタグ記述領域Ｒ３に記述された店舗の詳細内容を表した地点情報を補助プログラムに従って読み出し、ディジタル地図ソフトウェア６０Ｂに受け渡してユーザーズポイントアイコン１３５を地図画面１２０上に登録するようにした場合について述べたが、本発明はこれに限らず、Ｗｅｂページの起動ボタン１３１がクリックされたとき、コメントタグ記述領域Ｒ３に記述された地点情報をディジタル地図ソフトウェア６０Ｂに受け渡してルート探索を行うときの目的値として設定するようにしても良く、要はＷｅｂページの起動ボタン１３１がクリックされたときにコメントタグ記述領域Ｒ３に記述された地点情報をディジタル地図ソフトウェア６０Ｂに受け渡すことができれば、当該ディジタル地図ソフトウェア６０Ｂに応じた種々様々な処理を実行するようにしても良い。この場合にも、上述の実施の形態と同様の効果を得ることができる。
【０１２５】
また上述の実施の形態においては、補助プログラムとしてＡｃｔｉｖｅＸコントロールを用いるようにした場合について述べたが、本発明はこれに限らず、要はＨＴＭＬでは実行が困難な処理をＷＷＷブラウザ上で実行する補助プログラムであれば、Ｊａｖａ等の他の種々の補助プログラムを用いるようにしても良い。
【０１２６】
さらに上述の実施の形態においては、コメントタグ記述領域Ｒ３に記述された店舗の詳細内容を表した地点情報を起動ボタン１３１のクリック操作に基づいてディジタル地図ソフトウェア６０Ｂに受け渡すようにした場合について述べたが、本発明はこれに限らず、例えばコメントタグ記述領域Ｒ３に記述された音楽の歌詞データを起動ボタン１３１のクリック操作に基づいて所定の音楽アプリケーションに受け渡すようにしても良い。
【０１２７】
さらに上述の実施の形態においては、オブジェクトタグ記述領域Ｒ２で指定されたクラスＩＤに応じた補助プログラムをハードディスクドライブ６０から読み出し、当該補助プログラムに従ってコメントタグ記述領域Ｒ３の地点情報をＣＰＵ５２によって読み出すようにした場合について述べたが、本発明はこれに限らず、オブジェクトタグ記述領域Ｒ２で指定されたクラスＩＤに基づいてＷＷＷサーバ１０２からインターネットを介して補助プログラムをダウンロードし、当該補助プログラムに従ってコメントタグ記述領域Ｒ３の地点情報を読み出すようにしても良い。
【０１２８】
さらに上述の実施の形態においては、提供側プログラムとしてのＨＴＭＬファイル作成プログラムに従って覚書領域としてのコメントタグ記述領域Ｒ３にクライアント１０３が読み出し得る形式の覚書データとしての地点情報を記述することにより提供情報としてのＨＴＭＬファイルを生成する提供情報生成手段としてのＣＰＵ１０６と、ＨＴＭＬファイルを情報処理装置としてのクライアント１０３へ送信する送信手段としてのインターフェース１０５及びルータとによって情報提供装置としてのＷＷＷサーバ１０２を構成するようにした場合について述べたが、本発明はこれに限らず、他の種々の情報生成手段及び送信手段によって情報提供装置を構成し、地点情報以外の他の種々の覚書データを情報処理装置に送信するようにしても良い。
【０１２９】
さらに上述の実施の形態においては、ＨＴＭＬで設定された覚書領域としてのコメントタグ記述領域Ｒ３にクライアント１０３が読み出し得る形式の覚書データとしての地点情報を記述することにより生成された提供情報としてのＨＴＭＬファイルをネットワークとしてのインターネットを介して受信する受信手段としてのモデム６６と、受信したＨＴＭＬファイルを解析プログラムとしてのＷＷＷブラウザ及び補助プログラムに従って解析し、コメントタグ記述領域Ｒ３の地点情報を読み出す解析手段としてのＣＰＵ５２及びＲＡＭ５４と、地点情報をアプリケーションソフトウェアとしてのディジタル地図ソフトウェア６０Ｂに受け渡し、当該ディジタル地図ソフトウェア６０Ｂに従って所定の登録処理を行う制御手段としてのＣＰＵ５２とによって情報処理装置としてのクライアント１０３を構成するようにした場合について述べたが、本発明はこれに限らず、他の種々の受信手段、解析手段及び制御手段によって情報処理装置を構成し、地点情報以外の他の種々の覚書データを読み出して他の種々のアプリケーションソフトウェアに受け渡して所定の処理を行うようにしても良い。
【０１３０】
さらに上述の実施の形態においては、提供側プログラムとしてのＨＴＭＬファイル作成プログラムがＷＷＷサーバ１０２における情報提供方法記録媒体としてのハードディスクドライブ１０７のハードディスクから読み出されて提供されるようにした場合について述べたが、本発明はこれに限らず、ＣＤ−ＲＯＭ(Compact Disc-Read Only Memory) 、ＤＶＤ(Digital Video Disc)等のパッケージメディア、一時的又は永続的に格納される半導体メモリや磁気ディスク、ローカルエリアネットワーク、インターネット、ディジタル衛星放送等の有線及び無線通信媒体、さらにルータやモデム等の各種通信インターフェースによって提供されるようにしても良い。
【０１３１】
さらに上述の実施の形態においては、ＷＷＷブラウザ及び補助プログラムがクライアント１０３における情報処理方法記録媒体としてのハードディスクドライブ６０のハードディスクから読み出されて提供されるようにした場合について述べたが、本発明はこれに限らず、ＣＤ−ＲＯＭ(Compact Disc-Read Only Memory) 、ＤＶＤ(Digital Video Disc)等のパッケージメディア、一時的又は永続的に格納される半導体メモリや磁気ディスク、ローカルエリアネットワーク、インターネット、ディジタル衛星放送等の有線及び無線通信媒体、さらにルータやモデム等の各種通信インターフェースによって提供されるようにしても良い。
【０１３２】
【発明の効果】
上述のように本発明によれば、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができ、かくしてユーザからの指示がないときまで無駄な情報処理を行うことのない効率的な情報処理を実行し得る情報授受システム及び情報授受方法を実現することができる。
【０１３３】
また本発明によれば、ネットワークを介して受信した提供情報の一の領域に記述されている表示データの表示内容を表示する一方、その表示内容に対してユーザからの指示があった場合にのみ、補助プログラムに従って提供情報の他の領域に記述されている地点情報データを所定のアプリケーションソフトウェアに受け渡し、当該アプリケーションソフトウェアに従った情報処理として、地点情報データに含まれる緯度経度の地図データに基づく地図の表示処理及び地点情報データに含まれるカテゴリコードに基づく所定マークのアイコンの表示処理を行うことができるので、アイコンを一目見させさえすれば、地図上の位置を通知し得ると共に、それがどのようなカテゴリの場所であるかをアイコンの所定マークにより直感的に認識させることができ、かくしてユーザからの指示がないときまで無駄な情報処理を行うことのない効率的な情報処理を実行し得る情報処理装置、情報処理方法及び記録媒体を実現することができる。
【図面の簡単な説明】
【図１】本発明による地点情報授受システムの構成を示す略線的ブロック図である。
【図２】地点情報授受システムのＷＷＷサーバの構成を示すブロック図である。
【図３】地点情報授受システムのクライアントの外観構成を示す略線的斜視図である。
【図４】本体の正面構成を示す略線図である。
【図５】本体に対して表示部を閉じた状態を示す左側面図である。
【図６】本体に対して表示部を１８０度開いた状態を示す右側面図である。
【図７】本体の下面構成を示す下面図である。
【図８】クライアントの回路構成を示すブロック図である。
【図９】液晶ディスプレイに表示された地図画面を示す略線図である。
【図１０】地点情報検索ホームページのトップページを示す略線図である。
【図１１】検索結果画面の表示内容を示す略線図である。
【図１２】ＷＷＷサーバで作成されたＨＴＭＬファイルのデータ構造を示す略線図である。
【図１３】Ｗｅｂページの表示内容を示す略線図である。
【図１４】地図画面上に取り込まれたＷｅｂページの地点情報を示す略線図である。
【図１５】Ｗｅｂページにおける地点情報の自動取込処理手順を示すフローチャートである。
【符号の説明】
３……表示部、２１……液晶ディスプレイ、２３……ＣＣＤカメラ、５２……ＣＰＵ、１００……地点情報授受システム、１０１……プロバイダ、１０２……ＷＷＷサーバ、１０３……クライアント、１０４……インターネット、１０５……インターフェース、１０６……ＣＰＵ、６０、１０７……ＨＤＤ、１０８……ＲＡＭ、１０９……地点情報ファイルデータベース。
【図１】
0004318004.tif 000002
【図２】
0004318004.tif 000003
【図３】
0004318004.tif 000004
【図４】
0004318004.tif 000005
【図５】
0004318004.tif 000006
【図６】
0004318004.tif 000007
【図７】
0004318004.tif 000008
【図８】
0004318004.tif 000009
【図９】
0004318004.tif 000010
【図１０】
0004318004.tif 000011
【図１１】
0004318004.tif 000012
【図１２】
0004318004.tif 000013
【図１３】
0004318004.tif 000014
【図１４】
0004318004.tif 000015
【図１５】
0004318004.tif 000016